(57)【要約】【課題】平面型の照明と一体となった平面型の意匠パネルにより天井面からの厚みを抑え、意匠性に優れた浴室用暖房乾燥換気装置を提供することを目的としている。【解決手段】意匠パネル２は、ボディ２０と略平行となるように、フィルター１３を介して、ボディ２０の前面に取り付けられた際に、突起部２０ａが柱となってボディ２０と意匠パネル２との間に生じる隙間が吸込み口２５を形成するものである。【選択図】図２
2014095516.tif 000002
【特許請求の範囲】
【請求項１】
風路に空気を流通させるファンと、
前記ファンを回転させるモーターと、
前記ファンと前記モーターとを収納し、前面が開口し、その前面の一部には前方に突出した突起部を有するボディと、
平面型の照明が一体となって設けられた平面型の意匠パネルと、
一側面につまみを有するフィルターと、を備え、
前記意匠パネルは、
前記ボディと略平行となるように、前記フィルターを介して、前記ボディの前面に取り付けられた際に、
前記突起部が柱となって前記ボディと前記意匠パネルとの間に生じる隙間が吸込み口を形成する
ことを特徴とする浴室用暖房乾燥換気装置。
【請求項２】
前記フィルターは、
前記隙間から前記つまみを引いて、あるいは押してスライドさせることにより、前記隙間から着脱可能である
ことを特徴とする請求項１に記載の浴室用暖房乾燥換気装置。
【請求項３】
浴室内温度を測定するための温度センサーを備え、
前記照明は、
前記温度センサーからの温度情報に応じて、照明光の色が変化する
ことを特徴とする請求項１又は２に記載の浴室用暖房乾燥換気装置。
【請求項４】
浴室内湿度を測定するための湿度センサーを備え、
前記照明は、
前記湿度センサーからの湿度情報に応じて、照明光の色が変化する
ことを特徴とする請求項１〜３のいずれかに記載の浴室用暖房乾燥換気装置。
【請求項５】
運転時間が一定時間を超えたときに、
前記照明は、
点滅、照明光の色の変化、又はその両方により、前記フィルターが汚れていることを使用者に知らせる
ことを特徴とする請求項１〜４のいずれかに記載の浴室用暖房乾燥換気装置。
【請求項６】
前記吸込み口から吸込んだ空気を暖めるためのヒーターを備え、
前記ファン、又は前記ヒーターが故障したときに、
前記照明は、
点滅、照明光の色の変化、又はその両方により、そのことを使用者に知らせる
ことを特徴とする請求項１〜５のいずれかに記載の浴室用暖房乾燥換気装置。
【請求項７】
蓄電池を備え、
電源から電気の供給が絶たれたときに、
前記蓄電池から前記照明へ電気を供給する
ことを特徴とする請求項１〜６のいずれかに記載の浴室用暖房乾燥換気装置。
【請求項８】
前記意匠パネルは、
蓄光機能を備えた
ことを特徴とする請求項１〜７のいずれかに記載の浴室用暖房乾燥換気装置。
【請求項９】
前記照明は、
有機ＥＬ照明である
ことを特徴とする請求項１〜８のいずれかに記載の浴室用暖房乾燥換気装置。
【発明の詳細な説明】
【技術分野】
【０００１】
本発明は、浴室に設置する換気装置に関し、特に平面型の意匠パネルに照明機能を備えた浴室用暖房乾燥換気装置に関するものである。
【背景技術】
【０００２】
浴室には、少なくとも湿気を排出するための換気装置と明かりをとるための照明とが設置されるが、照明と一体となった意匠性に優れた換気装置がないことから換気装置と照明を別々に設置するケースが多かった。そのため、それらを設置するコストや施工する時間がかかってしまっていた。さらに照明を別に設けるため照明用に浴室天井に開口を開ける必要があり、その部分からの湿気漏れなどの対策も必要となるため、より一層のコストがかかってしまっていた。
【０００３】
この課題を解決するために、換気機能と照明機能とを備えた換気装置が知られている（例えば特許文献１参照）。
これは、照明と一体の浴室換気乾燥機が提案され、照明の施工にかかる費用や時間の抑制と、浴室内インテリアを良くしようというものである。
【０００４】
また、リラクゼーション効果を目的とする照明を備えた、換気機能付きの浴室暖房機も知られている（例えば特許文献２参照）。
これは、色を変化させることのできる照明と浴室暖房機を一体とし、暖房運転モード時には、暖色系の照明色とし、涼風運転モード時には、寒色系の照明色とすることで暖かさや涼しさを視覚的に得ようとするものである。
【先行技術文献】
【特許文献】
【０００５】
【特許文献１】実開平４−５７１４２号公報（たとえば、３頁〜５頁、図１〜図２参照）
【特許文献２】特開２００７−３２８８１号公報（たとえば、［００１３］〜［００１６］、図１〜図３参照）
【発明の概要】
【発明が解決しようとする課題】
【０００６】
しかし、特許文献１に記載の換気装置のように、フロントグリルに蛍光灯等の照明を備え、フロントグリル正面に吸込み口を有したものであると、蛍光灯と蛍光灯を支持する部品が必要となりフロントグリルの厚みを薄くすることができず、また、吸込み口にほこりが溜まるなど意匠性に優れるとは言いがたいものであった。
【０００７】
また、特許文献２に記載の浴室暖房機では、間接照明するために天井面から一部を突出させた本体ケースの側面にＬＥＤ照明を備え、運転モードに応じて照明色を変化させるものである。そのため、天井面からの厚みを薄くすることができず、本体ケースの下面に取り付けられるフロントパネルはＬＥＤ照明の寸法の分だけ浴室側へ突出している。また、吸込み口の位置は、特許文献１に記載の換気装置と同様にフロントパネル正面であるため、意匠性に優れたものとは言いがたいものであった。
【０００８】
本発明は、上記に鑑みてなされたものであって、平面型の照明と一体となった平面型の意匠パネルにより天井面からの厚みを抑え、意匠性に優れた浴室用暖房乾燥換気装置を提供することを目的としている。
【課題を解決するための手段】
【０００９】
本発明に係る浴室用暖房乾燥換気装置は、風路に空気を流通させるファンと、前記ファンを回転させるモーターと、前記ファンと前記モーターとを収納し、前面が開口し、その前面の一部には前方に突出した突起部を有するボディと、平面型の照明が一体となって設けられた平面型の意匠パネルと、一側面につまみを有するフィルターと、を備え、前記意匠パネルは、前記ボディと略平行となるように、前記フィルターを介して、前記ボディの前面に取り付けられた際に、前記突起部が柱となって前記ボディと前記意匠パネルとの間に生じる隙間が吸込み口を形成するものである。
【発明の効果】
【００１０】
本発明に係る浴室用暖房乾燥換気装置によれば、天井面からの厚みを抑え、意匠性に優れた浴室用暖房乾燥換気装置を得ることができる。
【図面の簡単な説明】
【００１１】
【図１】本発明の実施の形態に係る浴室用暖房乾燥換気装置が据え付けられた浴室および洗面所の概略図である。
【図２】本発明の実施の形態に係る浴室用暖房乾燥換気装置の構造図である。
【図３】本発明の実施の形態に係る浴室用暖房乾燥換気装置の断面図である。
【図４】本発明の実施の形態に係る浴室用暖房乾燥換気装置の吸込み口を説明する図である。
【図５】本発明の実施の形態に係る浴室用暖房乾燥換気装置の各運転時におけるダンパーの位置を示す図である。
【図６】本発明の実施の形態に係る浴室用暖房乾燥換気装置の換気運転時における空気の流れを説明する図である。
【図７】本発明の実施の形態に係る浴室用暖房乾燥換気装置の暖房運転時における空気の流れを説明する図である。
【図８】本発明の実施の形態に係る浴室用暖房乾燥換気装置の乾燥運転時における空気の流れを説明する図である。
【図９】本発明の実施の形態に係る浴室用暖房乾燥換気装置の暖房運転時に浴室内温度の確認操作が行われた際の照明光の色の制御フローを説明する図である。
【図１０】本発明の実施の形態に係る浴室用暖房乾燥換気装置の乾燥運転時に浴室内乾燥度の確認操作が行われた際の照明光の色の制御フローを説明する図である。
【発明を実施するための形態】
【００１２】
以下、本発明にかかる浴室用暖房乾燥換気装置の実施の形態を図面に基づいて詳細に説明する。なお、この実施の形態によりこの発明が限定されるものではない。
実施の形態．
図１は、本発明の実施の形態に係る浴室用暖房乾燥換気装置が据え付けられた浴室および洗面所の概略図である。
浴室４と洗面所５とがドア６で仕切られており、浴室４の天井には意匠パネル２が取り付けられた浴室用暖房乾燥換気装置１が一部天井から突出するように配置され、床には浴槽３が配置されている。また、洗面所５の壁面にはコントロールスイッチ７が据え付けられている。
なお、浴室用暖房乾燥換気装置１と意匠パネル２との間に生じる隙間が吸込み口２５を形成しており、矢印の方向から浴室４内の空気が吸込まれるようになっている。
【００１３】
図２は、本発明の実施の形態に係る浴室用暖房乾燥換気装置の構造図、図３は、本発明の実施の形態に係る浴室用暖房乾燥換気装置の断面図である。
浴室用暖房乾燥換気装置１は、換気機能、暖房機能、乾燥機能の各機能を備えており、その外装は前面が開口したボディ２０（本体）によって構成されている。ボディ２０には、各機能に応じた風路を形成するダンパー１９、そのダンパー１９を移動させるステッピングモーター２１、風路に空気を流通させるファン１１、そのファン１１を回転させるモーター１５、温風を作るためのヒーター１８、温風を浴室４内へ送風する際に風向を与える吹出グリル１０、浴室内温度を測定するための温度センサー１２ａ、浴室内湿度を測定するための湿度センサー１２ｂ、が収納されている。
また、浴室４側であるボディ２０の前面には、ファン１１への埃の浸入を防ぐ、一側面につまみ１３ａを有するフィルター１３が取り付けられ、さらにそのフィルター１３を介して平面型の意匠パネル２が取り付けられている。この意匠パネル２には、照明光の色を可変する機能を有する平面型の照明１４が一体となって設けられている。さらに意匠パネル２には、蓄光材料の練りこみ若しくは、塗布により蓄光機能を備えており、照明１４の消灯後も一定時間浴室の明かりをとることができるようになっている。
また、ボディ２０の天井側の側面には、タイマー機能を備え、温度センサー１２ａ及び湿度センサー１２ｂからの情報を処理し、浴室用暖房乾燥換気装置１の動作を制御する制御回路１６と、照明機能を一定時間動作させるためのみに用いられる蓄電池（図示省略）とを備えている。
【００１４】
図４は、本発明の実施の形態に係る浴室用暖房乾燥換気装置の吸込み口を説明する図である。
浴室用暖房乾燥換気装置１は、ボディ２０の前面が天井９面と平行となるように配置されており、フィルター１３及び意匠パネル２も天井９面と平行に取り付けられている。このとき、ボディ２０の前面の一部には、図２に示すように前方に突出した突起部２０ａを有しており、ボディ２０の前面に意匠パネル２を取り付けた際に、その突起部２０ａが柱となって両者の間に隙間が生じ、この隙間が吸込み口２５を形成している。そのため、図４に示すように浴室４内の空気は、この意匠パネル２側面の隙間に形成された吸込み口２５から浴室用暖房乾燥換気装置１内へ吸込まれる（矢印２６）。
このような構成とすることで、浴室用暖房乾燥換気装置１の浴室４内への出寸法は小さく抑えることができる。
また、フィルター１３の有するつまみ１３ａは、隙間から指を入れてつまめるようになっており、そのつまみ１３ａを引いて、あるいは押してスライドさせることにより、意匠パネル２を取り外さなくとも浴室用暖房乾燥換気装置１から着脱可能となっている。そのため、フィルター１３を容易に清掃することができると共に、意匠パネル２に触れることがないため手垢などにより意匠パネル２が汚れるといったこともない。また、フィルター１３は意匠パネル２に隠れる構成となっているため、使用するにつれ、ほこり等の堆積によって汚れた際にも浴室４内からは見えないようになっている。
以上より、本実施の形態に係る浴室用暖房乾燥換気装置１は、意匠性に優れたものとなっている。
【００１５】
温度センサー１２ａ及び湿度センサー１２ｂは、フィルター１３とファン１１との間、つまり、フィルター１３の下流であり、ファン１１に吸込まれる前の位置に設けられている。そのため、フィルター１３が埃の浸入を防ぎ、汚れによる測定精度の悪化を抑えることができる。さらに、浴室４から近い位置となるため、浴室４の温度及び湿度を正確に測定することができる。
【００１６】
コントロールスイッチ７は、運転のＯＮ／ＯＦＦ、運転モードの切り替え、照明１４の操作等を行うために用いられる。本実施の形態に係る浴室用暖房乾燥換気装置１では、換気運転、暖房運転、乾燥運転の３つの運転モードを備えている。浴室用暖房乾燥換気装置１を運転させるため、コントロールスイッチ７の操作が行われると、その信号が浴室用暖房乾燥換気装置１の制御回路１６に伝えられる。すると、制御回路１６はステッピングモーター２１を駆動して各運転モードに応じた位置までダンパー１９を移動させ、モーター１５を駆動しファン１１を回転させることによって送風し、ヒーター１８のＯＮ／ＯＦＦ、照明１４の制御を行う。ここで、照明１４はカラー調色、及び調光が可能な有機ＥＬ照明である。この有機ＥＬ照明は、有機材料に電圧をかけることで発光させるものであり、蛍光灯等、他の照明に比べ薄いのが特徴である。そのため、有機ＥＬ照明を採用することで、照明自体の厚みを抑えることができ、浴室用暖房乾燥換気装置１の浴室４側への出寸法をさらに小さく抑えることができる。また、有機ＥＬ照明は面発光であり、広範囲を自然に照らすことができるため、目に優しく、居住空間の照明に適している。
【００１７】
図５は、本発明の実施の形態に係る浴室用暖房乾燥換気装置の各運転時におけるダンパーの位置を示す図である。（ａ）は換気運転時、（ｂ）は暖房運転時、（ｃ）は乾燥運転時、におけるダンパーの位置をそれぞれ示している。
以下、各運転時における浴室用暖房乾燥換気装置１の動作について説明する。
【００１８】
まず始めに、換気運転時（図５（ａ））における浴室用暖房乾燥換気装置１の動作について説明する。
コントロールスイッチ７の操作にて換気運転モードが選択されると、その信号が浴室用暖房乾燥換気装置１の制御回路１６に伝えられる。すると、制御回路１６はステッピングモーター２１を駆動してダンパー１９を下方（浴室４側）の位置１９ｃへ移動させ、浴室４からダクト接続口１７を介して排気ダクト８へ空気が導かれるように風路が形成される。
その風路は、浴室４内の空気を換気するため、吸込んだ空気は排気ダクト８へ導かれるが、浴室４内へは送風されないように形成されている。
ダンパー１９の動作が完了した後、モーター１５を駆動し、ファン１１を回転させることによって浴室４内の空気を吸込み、風路を通過させた後、排気ダクト８から屋外へ排出する。
【００１９】
図６は、本発明の実施の形態に係る浴室用暖房乾燥換気装置の換気運転モード時における空気の流れを説明する図である。
図５（ａ）に示す状態では、洗面所５内の空気は、ドア６の下方に設けられたガラリ６ａを通過して浴室４内に吸込めるようになっている（矢印２２）。
換気運転時において、ファン１１を回転させることによって浴室４内の空気を浴室用暖房乾燥換気装置１内に吸込み、排気ダクト８から屋外へと排出する。
そのため、浴室４内の空気を屋外へ排出し、洗面所５内の空気を浴室４内に吸込むことで、浴室４内の空気を換気することができる。
【００２０】
次に、暖房運転時（図５（ｂ））における浴室用暖房乾燥換気装置１の動作について説明する。
コントロールスイッチ７の操作にて暖房運転モードが選択されると、その信号が浴室用暖房乾燥換気装置１の制御回路１６に伝えられる。すると、制御回路１６はステッピングモーター２１を駆動してダンパー１９を上方（天井側）の位置１９ａへ移動させ、浴室４からヒーター１８を通って吹出グリル１０へ空気が導かれるように風路が形成される。
その風路は、浴室４内を効率的に暖めるようにするため、浴室４内の空気を屋外へは排出しないように形成されており、吸込んだ空気を再度ヒーター１８で暖めて浴室４内へと送風できるように形成されている。
ダンパー１９の動作が完了した後、ヒーター１８に通電すると同時にモーター１５を駆動し、ファン１１を回転させることによって浴室４内の空気を吸込む。そして、風路を通過させ、その空気を吹出グリル１０の手前に設けられたヒーター１８で暖めた後、再度浴室４内へ送風する。
【００２１】
図７は、本発明の実施の形態に係る浴室用暖房乾燥換気装置の暖房運転モード時における空気の流れを説明する図である。
図５（ｂ）に示す状態では、暖房運転時において、ファン１１を回転させることによって浴室４内の空気を浴室用暖房乾燥換気装置１に吸込む。そして、その空気をヒーター１８で暖めて温風２３とした後、浴室４内へ送風するが、屋外へは排出しない。そのため、浴室４内の空気を浴室用暖房乾燥換気装置１に吸込み、ヒーター１８で暖めて浴室４内へ送風する、という動作を繰り返すことにより、効率的に浴室４内の温度を上昇させることができる。
ヒーター１８によって暖められた温風２３は、吹出グリル１０によって吹出方向を与えられた後に浴室４内へ送風される。そして、吹出グリル１０によって浴槽３側から洗い場側（ドア６側）へ温風２３が導かれるため、浴室４内を効率的に暖めることができる。
また、温度センサー１２ａによって設定された温度まで浴室４内の温度が上昇した際には、ヒーター１８への通電を停止し、常温の空気の送風のみとする。一方、浴室４内の温度が設定温度以下となった際にはヒーター１８への通電が再開され、温風２３の送風を再開する。このように動作することで、設定温度を保っている。
【００２２】
次に、乾燥運転時（図５（ｃ））における浴室用暖房乾燥換気装置１の動作について説明する。
コントロールスイッチ７の操作にて乾燥運転モードが選択されると、その信号が浴室用暖房乾燥換気装置１の制御回路１６に伝えられる。すると、制御回路１６はステッピングモーター２１を駆動してダンパー１９を中間の位置１９ｂ（１９ａと１９ｃの間）とし、浴室４内へ導かれるものと、ダクト接続口１７を介して排気ダクト８へ導かれるものとに分かれるように風路が形成される。
その風路は、浴室４内の衣類等２４（後述する図８参照）に温風２３を当てて浴室４内の温度を上げて衣類等２４の水分を蒸発させ、乾燥を促すとともに、この蒸発によって高湿度となった浴室４内の空気を排出するように形成されている。つまり、吸込んだ空気を再度ヒーター１８で暖めて浴室４内へと送風するための風路と、吸込んだ空気を排気ダクト８へ導く風路とが形成されている。
ダンパー１９の動作が完了した後、ヒーター１８に通電すると同時にモーター１５を駆動し、ファン１１を回転させることによって浴室４内の空気を吸込む。そして、その空気はダンパー１９により吹出グリル１０の手前に設けられたヒーター１８で暖められた後、再度浴室４内へ送風されるものと、排気ダクト８へ排気されるものとに分けられる。
【００２３】
図８は、本発明の実施の形態に係る浴室用暖房乾燥換気装置の乾燥運転時における空気の流れを説明する図である。
図５（ｃ）に示す状態では、洗面所５内の空気は、ドア６の下方に設けられたガラリ６ａを通過して浴室４内に吸込めるようになっている（矢印２２）。
乾燥運転時において、ファン１１を回転させることによって浴室４内の空気を浴室用暖房乾燥換気装置１に吸込む。そして、ヒーター１８により暖められた後で浴室４内へと戻される空気と、屋外へと排気される空気とがダンパー１９ｂによって分けられる。ヒーター１８により暖められた温風２３を衣類等２４へ送風することで衣類等２４の水分を蒸発させ、乾燥を促す。そして、その蒸発によって高湿度となった空気を屋外へと排出し、浴室４内の空気に対して相対的に乾燥している洗面所５内の空気２２を浴室４内に吸込むことで湿度を下げ、衣類等２４の乾燥をさらに促す。ヒーター１８によって暖められた温風２３は、吹出グリル１０によって吹出方向を与えられた後に浴室４内へ送風されるため、効率良く衣類等２４に温風を当てることができる。
また、温度センサー１２ａによって設定された温度まで浴室４内の温度が上昇した際には、ヒーター１８への通電を停止し、常温の空気の送風のみとする。一方、浴室４内の温度が設定温度以下となった際にはヒーター１８への通電が再開され、温風２３の送風を再開する。このように動作することで、設定温度を保っている。
【００２４】
図９は、本発明の実施の形態に係る浴室用暖房乾燥換気装置の暖房運転時に浴室内温度の確認操作が行われた際の照明光の色の制御フローを説明する図、図１０は、本発明の実施の形態に係る浴室用暖房乾燥換気装置の乾燥運転時に浴室内乾燥度の確認操作が行われた際の照明光の色の制御フローを説明する図である。
次に、各運転時における照明１４の照明光の色の制御フローについて説明する。
平面型の照明１４は、普段は照明１４としての役目を果たしているが、暖房運転時及び乾燥運転時において、その照明色を変化させることにより、浴室４外へ情報を伝える役目も果たす。
暖房運転時は、温度センサー１２ａで測定された浴室４内の温度に応じて、制御回路１６は照明１４を低温を表す寒色系の色から高温を表す暖色系の色へと変化させることにより、浴室４外から浴室４内の温度を知ることができる。
また、乾燥運転時は、湿度センサー１２ｂで測定された浴室４内の湿度に応じて、制御回路１６は照明１４を低湿を表す寒色系の色から高湿を表す暖色系の色へと変化させることにより、浴室４外から浴室４内の湿度を知ることができる。
【００２５】
暖房運転時は、コントロールスイッチ７から浴室４内の状態確認が指示された際、フィルター１３とファン１１との間に設けられた温度センサー１２ａにて測定された浴室４内の温度に応じて、制御回路１６は照明色を変化させる。図９に示すように、例えば、その温度センサー１２ａの値が１０℃未満であれば照明１４を青色、１０℃以上２０℃未満であれば照明１４を緑色とし、２０℃以上３０℃未満であれば照明１４を橙色、３０℃以上であれば照明１４を赤色とする。これら浴室４内の温度に応じた照明色により、浴室４内の温度を浴室４の外から直感的に確認できる。
【００２６】
照明１４の照明光の色で浴室４内の温度を確認できない従来製品において、寒い日では、暖房運転を開始し、一定時間経過した後で入浴するといった使われ方が多かった。しかし、この暖房運転開始からの時間で判断すると、暖房しすぎによる電気の無駄遣い、暖房不足によるヒートショックへつながるおそれがあった。それらを減らすため、浴室４内の温度に応じて照明光の色を変化させることにより、脱衣前に浴室４内の温度を直感的に、しかも簡単に把握することができる。また、温度センサー１２ａにより一定温度以上となった場合にはヒーター１８への通電を停止し、一定温度以下となった場合にはヒーター１８への通電を再開することで、適正な温度に保つことができる。さらに、制御回路１６はタイマー機能を備えているため、ある一定の温度にて一定時間経過した際には、ヒーター１８への通電を停止し、ファン１１への通電を停止して送風も停止することが可能であり、無駄に電気を使うこともなくなるため省エネになる。
【００２７】
乾燥運転時は、コントロールスイッチ７から浴室４内の状態確認が指示された際、フィルター１３とファン１１との間に設けられた湿度センサー１２ｂにて測定された浴室４内の湿度に応じて照明色を変化させる。図９に示すように、例えば、その湿度センサー１２ｂの値が６０％ＲＨ以上であれば照明１４を青色とし、５０％ＲＨ以上６０％ＲＨ未満であれば照明１４を緑色とし、４０％ＲＨ以上５０％ＲＨ未満であれば照明１４を橙色、４０％ＲＨ未満であれば照明１４を赤色とする。これら浴室４内の湿度に応じた照明色により衣類等の乾燥状態を浴室４の外から直感的に確認できる。
【００２８】
これまで衣類等２４の乾燥状態を確認するためには浴室４内に入り、各衣類の乾燥状態を確認するしかなかった。そのため、浴室４のドア開閉により暖められた空気を浴室４外に逃がしてしまうことがあった。しかし、この機能によって、浴室４外から衣類等２４の乾燥状態が把握できるため、浴室４のドア６を不必要に開けることがなくなる。そのため、暖められた空気を不必要に浴室４外に逃がすことがないため、省エネにもつながる。
また、湿度センサー１２ｂにより一定湿度以下となった場合にはヒーター１８への通電を停止し、一定湿度以上となった場合には通電を再開することで、適正な湿度にて乾燥運転をすることができる。さらに、温度センサー１２ａと湿度センサー１２ｂとにより、ある一定の温度以上、かつ、ある一定湿度以下となった際には、ヒーター１８への通電を停止し、送風も停止することが可能であり、無駄に電力を消費することもない。さらに、制御回路１６はタイマー機能を備えているため、ある一定の湿度以下で一定時間経過した際には、ヒーター１８への通電と送風を停止することも可能であり、無駄に電気を使うこともなくなるため省エネになる。
【００２９】
これらの照明色は常に使用することも可能であるが、通常はコントロールスイッチ７で浴室４内の状態確認を行う操作が行われた場合にのみ、浴室４内の状態を知らせるために使用される。
これらの機能により、浴室４のドア６を開けることなく、浴室４内の温度又は湿度を知ることができる。そのため、冬季の冷えた浴室４内に暖かい洗面所５側から入ることで引き起こされるヒートショックによる事故を防ぐことができる。また、乾燥運転モード時には、浴室４外から乾燥状態を確認するために浴室４のドア６を開ける必要がなくなることから、温めた空気を浴室４外に逃がすことがなくなり、省エネになる。
これらの情報は、コントロールスイッチ７の一部に表示して知らせることも可能であるが、コントロールスイッチ７のサイズにより表示できる大きさにも限界があり、高齢者が浴室４内の温度や湿度を確認することは容易でなかった。そのため、この機能があっても高齢者にとっては、非常に使いづらいものであった。
そこで、この照明を利用した情報伝達手段により、暖房運転時に温度に応じて寒色系の色から暖色系の色へ変化させ、乾燥運転時にも湿度に応じて寒色系の色から暖色系の色へ変化させることで、浴室４内の温度や又は湿度が洗面所５側にいても直感的に分かるため、高齢者にとても使いやすいものとなった。
【００３０】
次に、浴室用暖房乾燥換気装置１のその他機能について説明する。
制御回路１６は、タイマー機能を備えており、各運転モード時の運転モード時間の合計からフィルター１３の汚れを推定し、一定時間を超えたらコントロールスイッチ７の一部にフィルター１３のメンテナンスを促す表示をする。また、メンテナンスを促す表示をした後、一定期間メンテナンスがされなければ照明１４を点滅させ、さらに使用者にメンテナンスを促す。これにより、フィルター１３の汚れが原因となって吸込み抵抗が増大することによる、換気風量低下や騒音増大といった浴室用暖房乾燥換気装置１の性能低下を抑えることができる。
【００３１】
制御回路１６は、ファン１１やヒーター１８など部品の故障を判定する機能を備えており、それらが故障したと判定した場合、照明１４を利用し、照明色と点滅により使用者へどの部品が故障しているかを確実に伝えることができる。そのため、使用者は製品の故障の状態をサービスマンへ容易に伝えることができる。また、あらかじめ設定された製品の点検時期についても同様に照明を利用し使用者へ確実に伝えることができる。
【００３２】
制御回路１６は、照明１４を一定時間点灯させる蓄電池を備えている。そのため、制御回路１６にて浴室用暖房乾燥換気装置１への電源供給が絶たれたと判定された際には、蓄電池を備える制御回路１６により、ファン１１、ヒーター１８への出力を停止し、照明１４のみへ出力を行う。この機能によって、停電等により浴室用暖房乾燥換気装置１への電源供給が絶たれた際にも、照明１４を一定時間点灯させることができるため、安全に浴室４から洗面所５へ移動することができる。なお、一般家庭においてもこの機能は有効であるが、特に効果が期待できるのは比較的大きな浴室４であり、介助者とともに入浴することの多いグループホーム、老人ホーム等である。この機能により、停電が起きた際にも介助者が入浴者の状況、人数の把握ができ、安全な場所への移動をさせることが容易となる。
【産業上の利用可能性】
【００３３】
以上のように、浴室用暖房乾燥換気装置１の実施の形態について説明したが、発明が上記説明に限定されるものではなく、この発明の範囲内で変更して実施することができる。例えば、平面型の照明１４が一体となって設けられた平面型の意匠パネル２、温度センサー１２ａ、湿度センサー１２ｂ等を有する、換気機能のみを備えた換気装置や、暖房機能のみを備えた暖房機、さらには送風機能のみを備えたサーキュレーターであってもよい。
【００３４】
なお、上記実施の形態では、乾燥運転の乾燥度合いを湿度情報によって図９の制御フローによって判定をしたが、湿度情報だけでなく、温度と湿度の両方の値から絶対湿度を算出し、乾燥運転スタート時点、乾燥運転経過各時間と乾燥確認操作時とを比較して乾燥度を判定しても良い。
【符号の説明】
【００３５】
１  浴室用暖房乾燥換気装置、２  意匠パネル、３  浴槽、４  浴室、５  洗面所、６  ドア、６ａ  ガラリ、７  コントロールスイッチ、８  排気ダクト、９  天井、１０  吹出グリル、１１  ファン、１２ａ  温度センサー、１２ｂ  湿度センサー、１３  フィルター、１３ａ  つまみ、１４  照明、１５  モーター、１６  制御回路、１７  ダクト接続口、１８  ヒーター、１９  ダンパー、１９ａ  暖房運転モード時のダンパー位置、１９ｂ  乾燥運転モード時のダンパー位置、１９ｃ  換気運転モード時のダンパー位置、２０  ボディ、２０ａ  突起部、２１  ステッピングモーター、２２  浴室に吸込む空気、２３  温風、２４  衣類等、２５  吸込み口、２６  排気経路。
【図１】
2014095516.tif 000003
【図２】
2014095516.tif 000004
【図３】
2014095516.tif 000005
【図４】
2014095516.tif 000006
【図５】
2014095516.tif 000007
【図６】
2014095516.tif 000008
【図７】
2014095516.tif 000009
【図８】
2014095516.tif 000010
【図９】
2014095516.tif 000011
【図１０】
2014095516.tif 000012